(57)【要約】      （修正有）【課題】熱交換器の熱交換用フィンに付着した霜を除霜ブラシにより機械的に除去するようにした冷凍装置用熱交換器において、除霜ブラシに対する霜付着を防止又は除去する。【解決手段】熱交換用フィン１に付着した霜を除霜ブラシ５によって機械的に除去するフィン除霜手段と、前記除霜ブラシ５に付着した霜を除去するブラシ除霜手段及び／又は前記除霜ブラシに対する着霜を防止するブラシ着霜防止手段とを設ける。【選択図】図４
2009257648.tif 000002
【特許請求の範囲】
【請求項１】
熱交換用フィンに付着した霜を除霜ブラシによって機械的に除去するフィン除霜手段と、前記除霜ブラシに付着した霜を除去するブラシ除霜手段及び／又は前記除霜ブラシに対する着霜を防止するブラシ着霜防止手段とをそなえていることを特徴とする冷凍装置用熱交換器。
【請求項２】
除霜ブラシの素材表面に着霜防止処理が施されていることを特徴とする請求項１記載の冷凍装置用熱交換器。
【請求項３】
前記着霜防止処理が撥水剤又は滑水剤による除霜ブラシの表面処理であることを特徴とする請求項２記載の冷凍装置用熱交換器。
【請求項４】
前記除霜ブラシの構成部材に対する加熱手段を設けたことを特徴とする請求項１，２又は３記載の冷凍装置用熱交換器。
【請求項５】
前記除霜ブラシに振動を与える加振手段を設けたことを特徴とする請求項１ないし４のいずれか１項に記載の冷凍装置用熱交換器。
【請求項６】
前記除霜ブラシによる熱交換用フィン表面の除霜作用が行われたあとで、該除霜ブラシが霜除去部材を通過するようにしたことを特徴とする請求項１ないし５のいずれか１項に記載の冷凍装置用熱交換器。
【請求項７】
前記除霜ブラシが前記熱交換用フィンの着霜部の前面で回転する棒状の回転ブラシであって、該回転ブラシが前記熱交換用フィンに対する除霜作用終了後に高速回転するようにされていることを特徴とする請求項１ないし６のいずれか１項に記載の冷凍装置用熱交換器。
【請求項８】
前記回転ブラシにおけるブラシ毛部材に対して外周側から接触する棒状又は櫛状の霜除去部材が設けられていることを特徴とする請求項１ないし７のいずれか１項に記載の冷凍装置用熱交換器。
【請求項９】
前記除霜ブラシに対して霜除去剤を一定時間ごとに塗布又は撒布する間欠的霜除去剤供給手段が設けられていることを特徴とする請求項１ないし８のいずれか１項に記載の冷凍装置用熱交換器。
【発明の詳細な説明】
【技術分野】
【０００１】
本願発明は熱交換用フィンに付着した霜を除霜ブラシで強制的に除去するようにした冷凍装置用熱交換器に関するものである。
【背景技術】
【０００２】
空気調和機等の冷凍装置において、冬季に冷凍回路における熱源側の室外熱交換器が蒸発器として機能する運転（暖房運転など）を行うと、外気温度が低いような場合には、同熱源側の室外熱交換器の伝熱フィン部分に霜が付着して、熱交換効率が大きく低下する。
【０００３】
今、そのような霜の付着状態を、例えばプレートフィン１を採用したクロスフィンコイル型室外熱交換器１０の場合を一例として示すと、図８および図９のようになる。
【０００４】
図８および図９中、符号１，１・・・・は多数枚のプレートフィン、２ａ，２ｂ、２ａ，２ｂ・・・は前列側、後列側の各伝熱管であり、上記多数枚のプレートフィン１，１・・・は、それぞれのフィンカラー部の伝熱管嵌装孔（図示省略）を介して上記前後２列の各伝熱管２ａ，２ｂ、２ａ，２ｂ・・・にクロス状態で嵌装され、空気通路を形成するための所定のフィンピッチを保って並設固定されている。
【０００５】
そして、同熱交換器１０の例えば空気流下流側には、図示はしないが、当該熱交換器１０を介して矢印方向に空気を吸込むプロペラファン等の送風機が設置されている。
【０００６】
このような構成の熱交換器１０において、同熱交換器１０が蒸発器として運転された場合、冬季等で外気温で所定温度以上に低い場合（例えば０℃以下のとき）、図示のようにフィン表面温度と外気温との差が大きく、冷却性能（熱交換性能）が高いフィン前縁１ａ側ほど大きな着霜を生じ、空気との伝熱性能を低下させるとともに、その成長に応じて次第にフィンピッチを狭くして通風量を低減させる。通風量の低下は、さらに霜の成長を促進させる。
【０００７】
この結果、熱交換効率が低下し、室内機側熱交換器の凝縮効率（暖房性能）を低下させる。また霜の放置は、上記熱交換量の減少に加えて、蒸発圧力の異常な低下や圧縮機への冷媒液の戻りを引き起こし、冷凍機の性能低下や故障の原因ともなる。
【０００８】
従来、このような室外熱交換器１０の霜を取る除霜手段としては、大別して、例えばブラシ等を使用して機械的に霜を除去する機械的除霜装置（一例として特許文献１のものを参照）と、圧縮機からの暖かい冷媒（ホットガス）を同室外熱交換器１０内に送り込んで霜を融解させて除去するデフロスト装置（一例として特許文献２のものを参照）の２種があり、また、これら両方の除霜手段を併用した複合方式の除霜装置（例えば特許文献３のものを参照）もある。
【０００９】
上記特許文献１のブラシを使用した機械的除霜装置では、同じ長さ、同じ剛性等の毛を軸体周方向に均等に植え込んだブラシを用い、該ブラシを回転させながら、上下方向に駆動することによって伝熱フィン表面の霜を掻き落すようになっている。
【００１０】
また、上記特許文献２のホットガスを使用したデフロスト装置では、例えば所定の状態で暖房運転が行われており、同状態において、室外熱交換器に着霜が生じたとすると、冷凍回路の４方切替弁を、それまでとは冷媒の流れが逆になる状態に切り替えることにより、蒸発器として機能としていた室外熱交換器に対して圧縮機からの高温の吐出ガスを供給し、それによって伝熱フィン表面の霜を融解するようになっている。
【００１１】
さらに、上記特許文献３の融解方式および機械式の２方式併用装置では、先ずホットガス供給による融解除去手段を利用して室外熱交換器の伝熱フィン部分に付着した霜を水膜もしくはシャーベット膜の状態に融解した後に、ブラシ等の機械的除去手段を利用してスムーズに霜を取り除くことにより、基本となるホットガスを用いた霜融解除去運転にかかるトータルの時間の短縮を図るようにしている。
【００１２】
したがって、上記特許文献２のようなホットガス供給による融解除去運転単独での除霜方法の場合に比べると、たしかに除霜運転時間そのものは短縮される。
【００１３】
【特許文献１】実開平６−５９７６９号公報
【特許文献２】特開平６−３４１７４１号公報
【特許文献３】特開平１１−２０１５９３号公報
【発明の開示】
【発明が解決しようとする課題】
【００１４】
しかし、上記特許文献２のような冷媒回路の冷媒サイクルを逆方向に変更するデフロスト方式では、その除霜運転時間の間は暖房性能および室内の快適性が失われる欠点があり、また一定時間経過すると再び着霜するので定期的に除霜運転が必要となり、そのつど暖房性能および室内の快適性が失われる。
【００１５】
もちろん、このような問題を解決するために、例えば暖房時に蒸発器となる室外熱交換器を冷媒分流パスを基準として複数の熱交換器部分に分け、それらの各々に対応して圧縮機からの吐出ガスをバイパスさせるバイパス回路と該バイパス状態を開閉制御する電磁開閉弁とを設け、空気調和機の暖房運転時に冷凍サイクル自体を逆転させることなく、上記各熱交換器毎に交互にデフロスト運転を行うことにより、ノンストップでの暖房運転を実現することができるようにしたものも提案されているが、この場合にも、少なくとも熱交換器分割分は暖房性能が低下するし、熱交換器およびその冷媒配管が複雑になり、各種の室外熱交換器に簡単に適用するというわけにはゆかない。
【００１６】
また、上記特許文献３の場合、たしかにホットガス供給による除霜運転の時間自体は短縮されるが、除霜運転を行う際に常に融解除去方式を前提として使用しており、除霜運転の際に必然的に利用側熱交換器の熱交換効率を低下させる。したがって、やはり一定時間内の室内機側熱交換器の暖房機能の低下を避けることはできない。また、機械的な除霜装置の設置に加えて、さらに冷凍回路のサイクル方向の切換え、ホットガスバイパス回路の設置などが必要となり、回路構成、制御機能を複雑化する問題もある。さらに、冷凍回路の除霜運転、該除霜運転による霜部の融解待機、その後の機械的な除霜運転と３段階の動作、待機時間を必要とするため、全体として必ずしもデフロスト時間が短かくなるとは限らない。
【００１７】
一方、上記特許文献１のような機械的な除霜装置では、原則として、このような問題は生じない。
【００１８】
しかし、除霜ブラシで熱交換用フィンに付着した霜や氷を除去するようにした場合、今度はその除霜ブラシに霜や氷が固く付着し、除霜ブラシによる除霜作用自体が阻害されるという問題が生じる。
【００１９】
そこで、本願発明は、除霜ブラシを使用して機械的に霜（なお、本件出願の特許請求の範囲及び明細書中の記載においては、「霜」という用語には、その記載部分の状況に応じて「霜」が氷結して生成される「氷」をも含む場合があるものとする）を除去するようにした冷凍装置用熱交換器において、前記除霜ブラシそれ自体に対する着霜対策を提案しようとするものである。
【課題を解決するための手段】
【００２０】
すなわち、本願発明の冷凍装置用熱交換器は、熱交換用フィンに付着した霜を除霜ブラシによって機械的に除去するフィン除霜手段と、前記除霜ブラシに付着した霜を除去するブラシ除霜手段及び／又は前記除霜ブラシに対する着霜を防止するブラシ着霜防止手段とをそなえていることを第１の特徴とするものである。
【００２１】
また、本願発明の冷凍装置用熱交換器は、その第２の特徴として、除霜ブラシの素材表面に着霜防止処理が施されていることが推奨される。
【００２２】
さらに、本願発明の冷凍装置用熱交換器は、その第３の特徴として、前記着霜防止処理が撥水剤又は滑水剤による除霜ブラシの表面処理であることが推奨される。
【００２３】
さらに、本願発明の冷凍装置用熱交換器は、その第４の特徴として、前記除霜ブラシの構成部材に対する加熱手段を設けることが推奨される。
【００２４】
さらに、本願発明の冷凍装置用熱交換器は、その第５の特徴として、前記除霜ブラシに振動を与える加振手段を設けることが推奨される。
【００２５】
さらに、本願発明の冷凍装置用熱交換器は、その第６の特徴として、前記除霜ブラシによる熱交換用フィン表面の除霜作用が行われたあとで、該除霜ブラシが霜除去部材を通過するようにすることが推奨される。
【００２６】
さらに、本願発明の冷凍装置用熱交換器は、その第７の特徴として、前記除霜ブラシが前記熱交換用フィンの着霜部の前面で回転する棒状の回転ブラシであって、該回転ブラシが前記熱交換用フィンに対する除霜作用終了後に高速回転するようにされていることが推奨される。
【００２７】
さらに、本願発明の冷凍装置用熱交換器は、その第８の特徴として、前記回転ブラシにおけるブラシ毛部材に対して外周側から接触する棒状又は櫛状の霜除去部材が設けられていることが推奨される。
【００２８】
さらに、本願発明の冷凍装置用熱交換器は、その第９の特徴として、前記除霜ブラシに対して霜除去剤を一定時間ごとに塗布又は撒布する間欠的霜除去剤供給手段が設けられていることが推奨される。
【発明の効果】
【００２９】
本願発明は、熱交換用フィンに付着した霜を除霜ブラシによって機械的に除去するフィン除霜手段と、前記除霜ブラシに付着した霜を除去するブラシ除霜手段及び／又は前記除霜ブラシに対する着霜を防止するブラシ着霜防止手段をそなえた冷凍装置用熱交換器において、上記第１の特徴により、除霜ブラシに付着した霜を除去したりあるいは除霜ブラシへの着霜それ自体を防止することができる効果がある。
【００３０】
本願発明はまた、熱交換用フィンに付着した霜を除霜ブラシによって機械的に除去するフィン除霜手段と、前記除霜ブラシに付着した霜を除去するブラシ除霜手段及び／又は前記除霜ブラシに対する着霜を防止するブラシ着霜防止手段をそなえた冷凍装置用熱交換器において、上記第２の特徴のように構成すれば、除霜ブラシの素材表面への着霜自体を可及的に防止し得る効果がある。
【００３１】
本願発明はまた、熱交換用フィンに付着した霜を除霜ブラシによって機械的に除去するフィン除霜手段と、前記除霜ブラシに付着した霜を除去するブラシ除霜手段及び／又は前記除霜ブラシに対する着霜を防止するブラシ着霜防止手段をそなえた冷凍装置用熱交換器において、上記第３の特徴のように構成すれば、除霜ブラシに付着した霜の離脱を促進し得る効果がある。
【００３２】
本願発明はまた、熱交換用フィンに付着した霜を除霜ブラシによって機械的に除去するフィン除霜手段と、前記除霜ブラシに付着した霜を除去するブラシ除霜手段及び／又は前記除霜ブラシに対する着霜を防止するブラシ着霜防止手段をそなえた冷凍装置用熱交換器において、上記第４の特徴のように構成すれば、除霜ブラシに付着した霜の融解が促進される効果がある。
【００３３】
本願発明はまた、熱交換用フィンに付着した霜を除霜ブラシによって機械的に除去するフィン除霜手段と、前記除霜ブラシに付着した霜を除去するブラシ除霜手段及び／又は前記除霜ブラシに対する着霜を防止するブラシ着霜防止手段をそなえた冷凍装置用熱交換器において、上記第５の特徴のように構成すれば、除霜ブラシに付着した霜を振動により振い落とすことができる効果がある。
【００３４】
本願発明はまた、熱交換用フィンに付着した霜を除霜ブラシによって機械的に除去するフィン除霜手段と、前記除霜ブラシに付着した霜を除去するブラシ除霜手段及び／又は前記除霜ブラシに対する着霜を防止するブラシ着霜防止手段をそなえた冷凍装置用熱交換器において、上記第６の特徴のように構成すれば、熱交換用フィンに対する除霜ブラシによる除霜作用のあとで、その除霜ブラシのための除霜が確実に行われる効果がある。
【００３５】
本願発明はまた、熱交換用フィンに付着した霜を除霜ブラシによって機械的に除去するフィン除霜手段と、前記除霜ブラシに付着した霜を除去するブラシ除霜手段及び／又は前記除霜ブラシに対する着霜を防止するブラシ着霜防止手段をそなえた冷凍装置用熱交換器において、上記第７の特徴のように構成すれば、熱交換用フィンに対する除霜作用終了後に回転ブラシが高速回転することにより同回転ブラシに付着した霜を遠心力により容易に離脱させる効果がある。
【００３６】
本願発明はまた、熱交換用フィンに付着した霜を除霜ブラシによって機械的に除去するフィン除霜手段と、前記除霜ブラシに付着した霜を除去するブラシ除霜手段及び／又は前記除霜ブラシに対する着霜を防止するブラシ着霜防止手段をそなえた冷凍装置用熱交換器において、上記第８の特徴のように構成すれば、前記回転ブラシにおけるブラシ毛部材に対して外周側から接触する棒状又は櫛状の霜除去部材が強制的に霜を掻き落とす効果がある。
【００３７】
本願発明はまた、熱交換用フィンに付着した霜を除霜ブラシによって機械的に除去するフィン除霜手段と、前記除霜ブラシに付着した霜を除去するブラシ除霜手段及び／又は前記除霜ブラシに対する着霜を防止するブラシ着霜防止手段をそなえた冷凍装置用熱交換器において、上記第９の特徴のように構成すれば、除霜ブラシに付着した霜が一定時間ごとに確実に除去される効果がある。
【００３８】
なお、本願発明を実施する際には、上記第１の特徴に加えて、上記第２ないし第９の特徴の全てを組み合わせてもよく、あるいは上記第２ないし第９の特徴のいずれか任意の１ないし８の特徴を任意に組み合わせてもよい。
【発明を実施するための最良の形態】
【００３９】
以下、本願発明の実施の形態について、添付の図面を参照しながら詳細に説明する。
【００４０】
先ず図３は、本願発明の実施例で使用される冷凍装置用熱交換器の構成を示している。
【００４１】
ところで、本願発明の冷凍装置用熱交換器に付設される除霜ブラシは、大別して除霜ブラシが熱交換器の前面（空気流上流側）に沿って上下方向（矢印Ａ−Ｂ）に平行駆動される平行移動ブラシタイプ（図１に例示）のものと、除霜ブラシが熱交換器の前面で回転（矢印Ｒ）しながら上下方向（矢印Ａ−Ｂ）に駆動される回転ブラシタイプ（図２に例示）のものとがあるが、図４ないし図６に示す実施例のものは、平行移動ブラシタイプのもので、図７に示す実施例のものは回転ブラシタイプのものである。
【００４２】
なお、図１に例示する平行移動タイプの除霜ブラシ５と図２に例示する回転タイプの除霜ブラシ５は、熱交換用フィン１，１・・・のフィン間隙間の奥方向の霜（比較的疎密度）にも届くようにした長いブラシ毛５ｂとフィン間隙間の入口部の比較的高密度の霜を掻き落とすための（密集した）短かいブラシ毛５ａとをそなえているが、他の実施例にあっては、これらの各ブラシ５，５におけるブラシ毛は全て同じ長さとしてもよいことは勿論である。
【００４３】
続いて、平行移動ブラシタイプの除霜ブラシを使用した実施例（図４〜図６）と回転ブラシタイプの除霜ブラシを使用した実施例（図７）の各冷凍装置用熱交換器に共通の構成について説明すると、符号１０で示す冷凍装置用室外熱交換器は図３に示すような一般的形状を示しており、同図において符号１，１・・・・は、多数枚のプレートフィン（熱交換用フィン）、２ａ，２ｂ、２ａ，２ｂ・・・は、前列側、後列側の各伝熱管であり、上記多数枚のプレートフィン１，１・・・は、それぞれのフィンカラー部の伝熱管嵌装孔（図示省略）を介して上記前後２列の各伝熱管２ａ，２ｂ、２ａ，２ｂ・・・に対してクロス状態で嵌装され、空気通路を形成するために必要かつ十分な所定のフィンピッチを保って左右両側の管板１０ａ，１０ｂ間に並設して固定されている。
【００４４】
そして、同室外熱交換器１０の例えば空気流下流側には、図示はしないが、当該室外熱交換器１０を介して矢印方向に外からの空気を吸込むプロペラファン等の送風機が設置されている。
【００４５】
このような構成の室外熱交換器１０において、同熱交換器１０が蒸発器として運転された場合、冬季等で外気温が所定温度以上に低い場合（例えば０℃以下）、前述の図８に示すように、フィン表面温度と外気温との差が大きく、冷却性能（熱交換性能）が高いフィン前縁１ａ側ほど大きな着霜を生じ、伝熱性能を低下させるとともに、その成長に応じて次第にフィンピッチを狭くして通風量を低減させる。
【００４６】
その結果、熱交換効率が低下し、室内機側熱交換器の凝縮効率（暖房性能）を低下させる。
【００４７】
そこで、そのような問題を解決するために、この室外熱交換器１０の空気吸込口面側には、図４ないし図７に図示のように、上記プレートフィン１，１・・・および伝熱管２ａ，２ａ・・・部に着霜した霜Ｆ，Ｆ・・・を掻き落すために必要にして十分な剛性の高い毛５ａ，５ａ・・・、５ｂ，５ｂ・・・を備えた除霜ブラシ（平行移動ブラシ又は回転ブラシ）５が、熱交換器１０の左右両端間に亘って上下両方向に任意に昇降駆動されるように設置されている。
【００４８】
続いて図４ないし図６を参照して平行移動ブラシタイプの除霜ブラシを使用した実施例の冷凍装置用熱交換器について説明すると、図４に示す実施例の冷凍装置用熱交換器は、熱交換器１０の前面（空気流上流側）に沿って無端ベルト１７によって上下方向（矢印Ａ，Ｂ方向）に駆動される除霜ブラシ５をそなえている。ベルト１７は上下のプーリ１６ａ，１６ｂの間に掛け回され、モータ３Ｍの正，逆回転にしたがって矢印Ａ又はＢ方向に駆動され、その間に、除霜ブラシ５が熱交換用フィン１，１・・・に付着した霜を掻き落とすようになっている。
【００４９】
ところで、一定時間冷凍装置が運転され、それにともなって室外熱交換器１０に対する除霜ブラシ５による除霜作用が行われると、こんどは除霜ブラシ５のブラシ毛５ａ，５ｂそれ自体に霜がこびりついて熱交換用フィン１，１・・・に対する除霜作用が円滑に行われなくなってくる。
【００５０】
図４ないし図６に示す実施例では、そのような除霜ブラシ５に対する着霜現象に対応するために、除霜ブラシ５のブラシ毛５ａ，５ｂの素材に対して各種の着霜防止用の表面処理（たとえば、シリコン系またはフッ素系撥水剤の塗布）を施している。
【００５１】
そのような撥水剤は、除霜ブラシ５のブラシ毛５ａ，５ｂに対する着霜それ自体を抑止するとともに、以下に説明する、除霜ブラシ５に対する強制的除霜行程における除霜ブラシ５からの霜剥離作用を助長する作用がある。
【００５２】
図４に示す実施例においては、熱交換器１０の下方に、除霜ブラシ５のブラシ毛５ａ，５ｂに対して除霜液（たとえば温水やカルボン酸カルシウム液等）を撒布する除霜剤撒布装置３０と、櫛状のブラシ着霜除去部材４０とが設けられていて、熱交換器１０の下方まで下降してきた除霜ブラシ（５′）のブラシ毛５ａ，５ｂに対して上記除霜液を撒布してブラシ毛５ａ，５ｂに付着している霜を軟かくするとともにその霜をブラシ着霜除去部材４０によって強制的に掻き落とすようになっている。なお、他の実施例においては、除霜剤撒布装置３０にかえて、あるいは除霜剤撒布装置３０とともに、除霜ブラシ５′のブラシ毛５ａ，５ｂを加熱する除霜ブラシ加熱装置を設けたり、あるいは櫛状のブラシ着霜除去部材４０にかえて図５に例示するような回転ブラシ状のブラシ着霜除去部材４０を使用したりすることができる。
【００５３】
除霜ブラシ加熱装置としては、たとえば除霜ブラシ５の移動端（上端又は下端）に電気ヒータを設けたり、あるいは冷凍装置のホットガスによって除霜ブラシ５を加熱するホットガスヒータを設けたりすることができる。なお、図５に示す実施例については、図４に図示の櫛状のブラシ着霜除去部材４０が回転ブラシ状のブラシ着霜除去部材４０に変更になった点以外は図４に示す実施例と同様であるのでその他の部分の説明は省略する。
【００５４】
この図５に示す実施例についてさらに追加の特徴を説明すると、回転ブラシタイプのブラシ着霜除去部材４０の回転を高速・低速交互に繰返すように制御すると、除霜ブラシ５′のブラシ毛に対して機械的振動が加わり（回転ブラシタイプのブラシ着霜除去部材４０が、請求項５記載の除霜ブラシ５に対する加振装置として作用する）、除霜ブラシ５に対する除霜作用が一層促進される。
【００５５】
図６に示す実施例の冷凍装置用熱交換器は、ベルト１７を駆動する下側プーリー１６ａの下方に、霜融解液（温水又は適宜の薬液等）Ｌを充填した容器５０を設けておき、霜の付着した除霜ブラシ５′をこの霜融解液Ｌ中に浸漬してブラシ毛５ａ，５ｂから着霜を除去するようにしている。この実施例の場合は、除霜ブラシ５におけるブラシ毛植設用台床５ｃは、屈曲可能な材料を使用するかあるいは短冊状の板材を折曲げ可能なスノコ状に結合して構成しておき、プーリー１６ａの下方を通過するときに自由に屈曲し得るようにしておくとよい。
【００５６】
次に、図７を参照して回転ブラシタイプの除霜ブラシを使用した冷凍装置用熱交換器の実施例について説明すると、図７には室外熱交換器１０の前面（空気流上流側）を除霜ブラシ５が回転しながら上下方向に駆動されて熱交換用フィン１に付着した霜を掻き落とすようにした構成が示されている。
【００５７】
この回転ブラシ５の駆動機構の一例について説明すると、回転ブラシ５の回転軸４（図２）の両端側には、上下方向に伸び、かつウォームギヤとして機能する左右一対のスクリューシャフト８，８が上下一対の軸支部１１ａ，１１ａ、１１ｂ，１１ｂを介して回転可能に設けられており、上記回転ブラシ５の回転軸４は、左右両端側の各係合ブラケット９，９を介して、これらスクリューシャフト８，８に対して昇降可能に遊嵌螺合状態で取り付けられている。
【００５８】
すなわち、上記回転軸４両端側の係合ブラケット９，９は、それぞれ内周面に上記スクリューシャフト８，８の螺条部に係合する螺条凹部を有するシャフト嵌挿孔９ａ，９ａを備えて外嵌されており、スクリューシャフト８，８の回転方向に応じて上下何れかの方向に昇降移動され、上記回転軸４の軸受部として構成されている。そして、該係合ブラケット９，９の軸受孔に対して上記回転軸４の各軸端が回転可能に支持されている。
【００５９】
また、同回転軸４の何れか一端側は、上記ブラシ駆動用モータＭ1の回転駆動軸部分に減速ギヤボックス６を介して連結支持されており、同回転軸４は上記ブラシ駆動用モータＭ1により所望の回転速度で、所望の回転方向に回転駆動されるようになっている。そして、同ブラシ駆動用モータＭ1の他端に、上記スクリューシャフト８に螺合外嵌された係合ブラケット９が取り付られており、該係合ブラケット９を介して、スクリューシャフト８により昇降駆動されるようになっている。
【００６０】
一方、上記一端側および他端側各スクリューシャフト８，８には、それぞれの下端８ａ，８ａ側に回転ギヤプーリ１２ｂ，１２ｂが設けられており、これら回転ギヤプーリ１２ｂ，１２ｂに対して歯付ベルト又はチェーン１４ｂが掛け亘されており、何れか一方側の駆動により相互に連動して回転するようになっている。そして、その内の一方側スクリューシャフト８の下端８ａには、さらに従動ギヤ１２ａが固定されており、該従動ギヤ１２ａは、歯付ベルト又はチェーン１４ａを介してスクリューシャフト駆動用モータＭ2の出力軸１５に固定されたスクリューシャフト駆動ギヤ１３に連係されている。
【００６１】
したがって、同スクリューシャフト駆動用モータＭ2が回転駆動されると、上記左右一対のスクリューシャフト８，８が所望の方向に回転され、それに応じて上記回転ブラシ５が下部側から上方側に、また上部側から下方側に任意に昇降作動される。
【００６２】
一方、同上昇時又は下降時において、上述のブラシ駆動用モータＭ1により上記回転ブラシ５が矢印のように回転され、所望の速度で回転しながら上述した室外熱交換器１０の伝熱フィン１，１・・・表面の前縁部側から後縁部方向にかけて生成された霜Ｆ，Ｆ・・・を掻き落して行く。
【００６３】
図７の実施例の場合も図４ないし図６に示す実施例の場合と同様に、除霜ブラシ５が下降した際に、該除霜ブラシ５′に対して各種の霜除去剤を吹きつけるための除霜剤撒布装置３０と、除霜ブラシ５′に付着した霜を除去するための櫛状のブラシ着霜除去部材４０とが設けられている。図７に示すブラシ着霜除去部材４０は、除霜ブラシ５′の下降時には同除霜ブラシ５′から霜を掻き落とすためにソレノイド４１によって矢印Ｃ方向に押し出され、除霜ブラシ５′が上昇駆動されるときには、除霜ブラシ５′と接触しないようにソレノイド４１によって矢印Ｄ方向に後退させられるようになっている。
【００６４】
なお、回転ブラシタイプの除霜ブラシ５を使用する図７のような実施例では、除霜ブラシ５が熱交換器１０の下方に移動した位置において同除霜ブラシ５を高速回転させて遠心力によりブラシ毛５ａ，５ｂに付着している霜を振い落とすようにすることもできる。この場合、特許請求の範囲の請求項２ないし６，８及び９に記載するような各種のブラシ除霜促進手段及び／又はブラシ着霜防止手段を併用し得ることは勿論である。
【図面の簡単な説明】
【００６５】
【図１】本願発明の実施例で使用される平行移動ブラシタイプの除霜ブラシの外観図である。
【図２】本願発明の実施例で使用される回転ブラシタイプの除霜ブラシの外観図である。
【図３】本願発明の実施例で使用される室外熱交換器の外観図である。
【図４】本願発明の実施例における除霜ブラシに対するブラシ着霜防止手段及び／又はブラシ除霜手段の概念図である。
【図５】本願発明の他の実施例における除霜ブラシに対するブラシ着霜防止手段及び／又はブラシ除霜手段の概念図である。
【図６】本願発明の他の実施例における除霜ブラシに対するブラシ着霜防止手段及び／又はブラシ除霜手段の概念図である。
【図７】本願発明の他の実施例における除霜ブラシに対するブラシ着霜防止手段及び／又はブラシ除霜手段の概念図である。
【図８】室外熱交換器に対する着霜状態説明図である。
【図９】図８に示す室外熱交換器の側面図である。
【符号の説明】
【００６６】
１は熱交換用フィン、２ａ，２ｂは伝熱管、５は除霜ブラシ、１０は室外熱交換器、１７は無端ベルト、２１はモータ、３０は除霜剤撒布装置、４０はブラシ着霜除去部材である。
【図１】
2009257648.tif 000003
【図２】
2009257648.tif 000004
【図３】
2009257648.tif 000005
【図４】
2009257648.tif 000006
【図５】
2009257648.tif 000007
【図６】
2009257648.tif 000008
【図７】
2009257648.tif 000009
【図８】
2009257648.tif 000010
【図９】
2009257648.tif 000011